(57)【要約】【課題】  利便性の向上と、人件費の低減と、料金の安全な受け取りとを実現することができるスキャン送信システム、画像形成装置およびスキャン送信プログラムを提供する。【解決手段】  スキャン送信システムにおいて、コンピューター４０は、ＭＦＰ３０のスキャナーによって原稿から読み取られた画像を記憶部に記憶し、スキャナーによる原稿の読み取り結果に基づいて料金を計算し、ＭＦＰ３０は、コンピューター４０によって計算された料金に対してオンライン決済サービス５０によって発行された支払いコードを通知し、コンピューター４０は、ＭＦＰ３０によって通知された支払いコードを使用してオンライン決済サービス５０経由で料金が支払われた場合（Ｓ１６８）に、記憶部に記憶されていた画像を送信する（Ｓ１６９）。【選択図】  図１２
2018046493.tif 000002
【特許請求の範囲】
【請求項１】
読取デバイスを備える画像形成装置と、
前記読取デバイスによって原稿から読み取られた画像を記憶部に記憶する画像記憶手段と、
前記読取デバイスによる前記原稿の読み取り結果に基づいて料金を計算する料金計算手段と、
前記料金計算手段によって計算された前記料金に対してオンライン決済サービスによって発行された支払いコードを通知する支払いコード通知手段と、
前記支払いコード通知手段によって通知された前記支払いコードを使用して前記オンライン決済サービス経由で前記料金が支払われた場合に、前記記憶部に記憶されていた前記画像を送信する画像送信手段と
を備えることを特徴とするスキャン送信システム。
【請求項２】
前記画像形成装置は、表示デバイスを備え、
前記支払いコード通知手段は、前記支払いコードを前記表示デバイスへの表示によって通知することを特徴とする請求項１に記載のスキャン送信システム。
【請求項３】
前記支払いコード通知手段によって通知された前記支払いコードを使用して前記オンライン決済サービス経由で前記料金を支払うための利用者端末を備え、
前記利用者端末は、撮影デバイスを備え、前記表示デバイスに表示された前記支払いコードを前記撮影デバイスによって撮影することによって取得することを特徴とする請求項２に記載のスキャン送信システム。
【請求項４】
前記支払いコード通知手段は、前記支払いコードを二次元コードとして前記表示デバイスに表示することを特徴とする請求項３に記載のスキャン送信システム。
【請求項５】
読取デバイスと、
前記読取デバイスによって原稿から読み取られた画像を記憶部に記憶する画像記憶手段と、
前記読取デバイスによる前記原稿の読み取り結果に基づいた料金に対してオンライン決済サービスによって発行された支払いコードを通知する支払いコード通知手段と、
前記支払いコード通知手段によって通知された前記支払いコードを使用して前記オンライン決済サービス経由で前記料金が支払われた場合に、前記記憶部に記憶されていた前記画像を送信する画像送信手段と
を備えることを特徴とする画像形成装置。
【請求項６】
読取デバイスを備える画像形成装置に、
前記読取デバイスによって原稿から読み取られた画像を記憶部に記憶する画像記憶手段と、
前記読取デバイスによる前記原稿の読み取り結果に基づいた料金に対してオンライン決済サービスによって発行された支払いコードを通知する支払いコード通知手段と、
前記支払いコード通知手段によって通知された前記支払いコードを使用して前記オンライン決済サービス経由で前記料金が支払われた場合に、前記記憶部に記憶されていた前記画像を送信する画像送信手段と
を実現させることを特徴とするスキャン送信プログラム。
【発明の詳細な説明】
【技術分野】
【０００１】
本発明は、読取デバイスによって原稿から画像を読み取って、この画像を送信するスキャン送信システム、画像形成装置およびスキャン送信プログラムに関する。
【背景技術】
【０００２】
従来、現金による料金の支払いを可能にするコインベンダーと、複写機とを備えていて、複写機によるコピーのジョブの実行の際にリアルタイムでコインベンダーによって料金の支払いを実行するシステムが知られている（例えば、特許文献１参照。）。
【先行技術文献】
【特許文献】
【０００３】
【特許文献１】特開２００１−３５１１６７号公報
【発明の概要】
【発明が解決しようとする課題】
【０００４】
しかしながら、特許文献１に記載されたシステムにおいては、利用者によってコインベンダーに投入された現金が減って料金の支払いが滞った時点でコピーのジョブの実行が停止され、その後、コインベンダーに現金が追加で投入されて料金の支払いが可能になった時点でコピーのジョブの実行が再開されるので、利便性が悪いという問題がある。
【０００５】
また、特許文献１に記載されたシステムにおいては、コインベンダーに現金で格納されている料金が複写機の管理者側の人間によって定期的に回収される必要があるので、人件費がかかるという問題がある。
【０００６】
また、特許文献１に記載されたシステムにおいては、料金が現金でコインベンダーに格納されているので、コインベンダーが格納している現金が盗難されて、複写機の管理者が料金を受け取れない可能性があるという問題がある。
【０００７】
そこで、本発明は、利便性の向上と、人件費の低減と、料金の安全な受け取りとを実現することができるスキャン送信システム、画像形成装置およびスキャン送信プログラムを提供することを目的とする。
【課題を解決するための手段】
【０００８】
本発明のスキャン送信システムは、読取デバイスを備える画像形成装置と、前記読取デバイスによって原稿から読み取られた画像を記憶部に記憶する画像記憶手段と、前記読取デバイスによる前記原稿の読み取り結果に基づいて料金を計算する料金計算手段と、前記料金計算手段によって計算された前記料金に対してオンライン決済サービスによって発行された支払いコードを通知する支払いコード通知手段と、前記支払いコード通知手段によって通知された前記支払いコードを使用して前記オンライン決済サービス経由で前記料金が支払われた場合に、前記記憶部に記憶されていた前記画像を送信する画像送信手段とを備えることを特徴とする。
【０００９】
この構成により、本発明のスキャン送信システムは、読取デバイスによる原稿の読み取りによって生成された画像を記憶部に記憶しておき、この読み取りの結果に基づいた正確な料金が支払われた後で、この画像を送信するので、「読取デバイスによって原稿から画像を読み取って、この画像を送信する」というスキャン送信のジョブの実行が料金の支払いの滞りによって途中で停止されることがなく、利便性の向上を実現することができる。また、本発明のスキャン送信システムは、料金の支払いにコインベンダーではなくオンライン決済サービスを利用するので、コインベンダーからの料金の取得作業が不要であり、人件費の低減と、料金の安全な受け取りとを実現することができる。
【００１０】
本発明のスキャン送信システムにおいて、前記画像形成装置は、表示デバイスを備え、前記支払いコード通知手段は、前記支払いコードを前記表示デバイスへの表示によって通知しても良い。
【００１１】
この構成により、本発明のスキャン送信システムは、画像形成装置が支払いコードを表示デバイスへの表示によって通知するので、画像形成装置によって通知された支払いコードを使用してオンライン決済サービス経由で料金を支払うための利用者端末と、画像形成装置とが互いに通信できない場合であっても、画像形成装置の表示デバイスに表示された支払いコードを使用して利用者端末によってオンライン決済サービス経由で料金を支払うことができる。
【００１２】
本発明のスキャン送信システムにおいて、前記支払いコード通知手段によって通知された前記支払いコードを使用して前記オンライン決済サービス経由で前記料金を支払うための利用者端末を備え、前記利用者端末は、撮影デバイスを備え、前記表示デバイスに表示された前記支払いコードを前記撮影デバイスによって撮影することによって取得しても良い。
【００１３】
この構成により、本発明のスキャン送信システムは、画像形成装置の表示デバイスに表示された支払いコードを利用者端末の利用者が利用者端末に手入力する必要がないので、利便性を向上することができる。
【００１４】
本発明のスキャン送信システムにおいて、前記支払いコード通知手段は、前記支払いコードを二次元コードとして前記表示デバイスに表示しても良い。
【００１５】
この構成により、本発明のスキャン送信システムは、支払いコードが二次元コードとしてコンパクトに画像形成装置の表示デバイスに表示されるので、利用者端末の撮影デバイスによって撮影し易く、利便性を向上することができる。
【００１６】
本発明の画像形成装置は、読取デバイスと、前記読取デバイスによって原稿から読み取られた画像を記憶部に記憶する画像記憶手段と、前記読取デバイスによる前記原稿の読み取り結果に基づいた料金に対してオンライン決済サービスによって発行された支払いコードを通知する支払いコード通知手段と、前記支払いコード通知手段によって通知された前記支払いコードを使用して前記オンライン決済サービス経由で前記料金が支払われた場合に、前記記憶部に記憶されていた前記画像を送信する画像送信手段とを備えることを特徴とする。
【００１７】
この構成により、本発明の画像形成装置は、読取デバイスによる原稿の読み取りによって生成された画像を記憶部に記憶しておき、この読み取りの結果に基づいた正確な料金が支払われた後で、この画像を送信するので、「読取デバイスによって原稿から画像を読み取って、この画像を送信する」というスキャン送信のジョブの実行が料金の支払いの滞りによって途中で停止されることがなく、利便性の向上を実現することができる。また、本発明の画像形成装置は、料金の支払いにコインベンダーではなくオンライン決済サービスを利用するので、コインベンダーからの料金の取得作業が不要であり、人件費の低減と、料金の安全な受け取りとを実現することができる。
【００１８】
本発明のスキャン送信プログラムは、読取デバイスを備える画像形成装置に、前記読取デバイスによって原稿から読み取られた画像を記憶部に記憶する画像記憶手段と、前記読取デバイスによる前記原稿の読み取り結果に基づいた料金に対してオンライン決済サービスによって発行された支払いコードを通知する支払いコード通知手段と、前記支払いコード通知手段によって通知された前記支払いコードを使用して前記オンライン決済サービス経由で前記料金が支払われた場合に、前記記憶部に記憶されていた前記画像を送信する画像送信手段とを実現させることを特徴とする。
【００１９】
この構成により、本発明のスキャン送信プログラムを実行する画像形成装置は、読取デバイスによる原稿の読み取りによって生成された画像を記憶部に記憶しておき、この読み取りの結果に基づいた正確な料金が支払われた後で、この画像を送信するので、「読取デバイスによって原稿から画像を読み取って、この画像を送信する」というスキャン送信のジョブの実行が料金の支払いの滞りによって途中で停止されることがなく、利便性の向上を実現することができる。また、本発明のスキャン送信プログラムを実行する画像形成装置は、料金の支払いにコインベンダーではなくオンライン決済サービスを利用するので、コインベンダーからの料金の取得作業が不要であり、人件費の低減と、料金の安全な受け取りとを実現することができる。
【発明の効果】
【００２０】
本発明のスキャン送信システム、画像形成装置およびスキャン送信プログラムは、利便性の向上と、人件費の低減と、料金の安全な受け取りとを実現することができる。
【図面の簡単な説明】
【００２１】
【図１】本発明の一実施の形態に係るスキャン送信システムのブロック図である。
【図２】図１に示す利用者端末のブロック図である。
【図３】図１に示すＭＦＰのブロック図である。
【図４】図１に示すコンピューターのブロック図である。
【図５】図４に示すＭＦＰ管理情報の一例を示す図である。
【図６】図４に示す画像管理情報の一例を示す図である。
【図７】図４に示す支払いコード管理情報の一例を示す図である。
【図８】図１に示すオンライン決済サービスが記憶する情報の一例を示す図である。
【図９】図８に示す支払いコード管理情報の一例を示す図である。
【図１０】スキャン送信のジョブの実行の指示が入力されたＭＦＰが二次元コードを表示するまでの図１に示すスキャン送信システムの動作のシーケンス図である。
【図１１】ＳｃａｎＴｏＳＭＢを実行する場合の図３に示すＭＦＰの動作のフローチャートである。
【図１２】利用者端末が二次元コードを読み取ってからＭＦＰがスキャン送信のジョブの実行を終了するまでの図１に示すスキャン送信システムの動作のシーケンス図である。
【図１３】図２に示す利用者端末の表示部に表示される支払い画面の一例を示す図である。
【発明を実施するための形態】
【００２２】
以下、本発明の一実施の形態について、図面を用いて説明する。
【００２３】
まず、本実施の形態に係るスキャン送信システムの構成について説明する。
【００２４】
図１は、本実施の形態に係るスキャン送信システム１０のブロック図である。
【００２５】
図１に示すように、スキャン送信システム１０は、利用者によって利用される利用者端末２０と、画像形成装置としてのＭＦＰ（Ｍｕｌｔｉｆｕｎｃｔｉｏｎ  Ｐｅｒｉｐｈｅｒａｌ）３０と、コンピューター４０と、オンライン上で決済を実行するオンライン決済サービス５０と、銀行口座を管理している銀行口座管理システム６０とを備えている。
【００２６】
ＭＦＰ３０は、例えば、コンビニエンスストアなどの商業施設、大学などの公共施設など、様々な施設に設置されることが可能である。
【００２７】
コンピューター４０は、ＭＦＰ３０の料金に関する処理だけでなく、ＭＦＰ３０と同様の少なくとも１台のＭＦＰの料金に関する処理を実行可能でも良い。
【００２８】
オンライン決済サービス５０および銀行口座管理システム６０は、それぞれクラウドサービスであり、それぞれ例えばクラウドサーバーなどのサーバーによって実現されているシステムである。
【００２９】
利用者端末２０と、オンライン決済サービス５０とは、インターネットなどのネットワーク経由で通信可能である。
【００３０】
ＭＦＰ３０と、コンピューター４０とは、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、通信可能である。
【００３１】
コンピューター４０と、オンライン決済サービス５０とは、インターネットなどのネットワーク経由で通信可能である。
【００３２】
オンライン決済サービス５０と、銀行口座管理システム６０とは、インターネットなどのネットワーク経由で通信可能である。
【００３３】
図２は、利用者端末２０のブロック図である。
【００３４】
図２に示すように、利用者端末２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、カメラなどの撮影デバイスである撮影部２３と、ネットワーク経由で、または、ネットワークを介さずに有線または無線によって直接に、外部の装置と通信を行う通信デバイスである通信部２４と、各種の情報を記憶する半導体メモリーなどの不揮発性の記憶デバイスである記憶部２５と、利用者端末２０全体を制御する制御部２６とを備えている。利用者端末２０は、例えば、スマートフォン、タブレットなどの携帯端末であっても良い。
【００３５】
記憶部２５は、オンライン決済サービス５０（図１参照。）による決済のための決済用プログラム２５ａを記憶している。決済用プログラム２５ａは、利用者端末２０の製造段階で利用者端末２０にインストールされていても良いし、ＵＳＢ（Ｕｎｉｖｅｒｓａｌ  Ｓｅｒｉａｌ  Ｂｕｓ）メモリーなどの外部の記憶媒体から利用者端末２０に追加でインストールされても良いし、ネットワーク上から利用者端末２０に追加でインストールされても良い。
【００３６】
制御部２６は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２５に記憶されているプログラムを実行する。
【００３７】
制御部２６は、決済用プログラム２５ａを実行することによって、オンライン決済サービス５０に決済を指示する決済指示手段２６ａを実現する。
【００３８】
図３は、ＭＦＰ３０のブロック図である。
【００３９】
図３に示すように、ＭＦＰ３０は、種々の操作が入力されるボタンなどの入力デバイスである操作部３１と、種々の情報を表示するＬＣＤなどの表示デバイスである表示部３２と、原稿から画像を読み取る読取デバイスであるスキャナー３３と、用紙などの記録媒体に画像を印刷する印刷デバイスであるプリンター３４と、図示していない外部のファクシミリ装置と公衆電話回線などの通信回線経由でファックス通信を行うファックスデバイスであるファックス通信部３５と、ネットワーク経由で、または、ネットワークを介さずに有線または無線によって直接に、外部の装置と通信を行う通信デバイスである通信部３６と、各種の情報を記憶する半導体メモリー、ＨＤＤ（Ｈａｒｄ  Ｄｉｓｋ  Ｄｒｉｖｅ）などの不揮発性の記憶デバイスである記憶部３７と、ＭＦＰ３０全体を制御する制御部３８とを備えている。
【００４０】
スキャナー３３は、複数枚の原稿や両面の原稿を自動的に読み取り可能であるＡＤＦ（Ａｕｔｏ  Ｄｏｃｕｍｅｎｔ  Ｆｅｅｄｅｒ）を備えている。
【００４１】
記憶部３７は、スキャナー３３によって原稿から読み取られた画像を送信するスキャン送信のジョブの一部を実行するためのスキャン送信プログラム３７ａを記憶している。スキャン送信プログラム３７ａは、ＭＦＰ３０の製造段階でＭＦＰ３０にインストールされていても良いし、ＵＳＢメモリーなどの外部の記憶媒体からＭＦＰ３０に追加でインストールされても良いし、ネットワーク上からＭＦＰ３０に追加でインストールされても良い。
【００４２】
記憶部３７は、スキャナー３３によって原稿から読み取られた画像のファイル形式を示す読取画像ファイル形式情報３７ｂを記憶可能である。スキャナー３３によって原稿から読み取られた画像のファイル形式としては、例えば、ＰＤＦ（Ｐｏｒｔａｂｌｅ  Ｄｏｃｕｍｅｎｔ  Ｆｏｒｍａｔ）形式、ＴＩＦＦ（Ｔａｇｇｅｄ  Ｉｍａｇｅ  Ｆｉｌｅ  Ｆｏｒｍａｔ）形式、ＪＰＥＧ（Ｊｏｉｎｔ  Ｐｈｏｔｏｇｒａｐｈｉｃ  Ｅｘｐｅｒｔｓ  Ｇｒｏｕｐ）形式などが存在する。スキャナー３３によって原稿から読み取られた画像のファイル形式は、例えば、操作部３１を介して設定されることが可能である。
【００４３】
制御部３８は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３７に記憶されているプログラムを実行する。
【００４４】
制御部３８は、スキャン送信プログラム３７ａを実行することによって、スキャナー３３によって原稿から読み取られた画像をコンピューター４０（図１参照。）に送信する送信手段３８ａと、コンピューター４０によって計算された料金に対してオンライン決済サービス５０（図１参照。）によって発行された支払いコードを通知する支払いコード通知手段３８ｂとを実現する。
【００４５】
図４は、コンピューター４０のブロック図である。
【００４６】
図４に示すように、コンピューター４０は、ネットワーク経由で、または、ネットワークを介さずに有線または無線によって直接に、外部の装置と通信を行う通信デバイスである通信部４１と、各種の情報を記憶する半導体メモリーなどの不揮発性の記憶デバイスである記憶部４２と、コンピューター４０全体を制御する制御部４３とを備えている。
【００４７】
記憶部４２は、スキャン送信のジョブの一部を実行するためのスキャン送信プログラム４２ａを記憶している。スキャン送信プログラム４２ａは、コンピューター４０の製造段階でコンピューター４０にインストールされていても良いし、ＵＳＢメモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体からコンピューター４０に追加でインストールされても良いし、ネットワーク上からコンピューター４０に追加でインストールされても良い。
【００４８】
記憶部４２は、ＭＦＰを管理するためのＭＦＰ管理情報４２ｂを記憶している。
【００４９】
図５は、ＭＦＰ管理情報４２ｂの一例を示す図である。
【００５０】
図５に示すように、ＭＦＰ管理情報４２ｂは、ＭＦＰの識別情報であるＭＦＰＩＤと、ＭＦＰの管理者の識別情報である管理者ＩＤとが対応付けられた情報である。
【００５１】
図４に示すように、記憶部４２は、スキャナー３３（図３参照。）によって原稿から読み取られた画像４２ｃを複数記憶可能である。
【００５２】
記憶部４２は、画像４２ｃを管理するための画像管理情報４２ｄを記憶可能である。
【００５３】
図６は、画像管理情報４２ｄの一例を示す図である。
【００５４】
図６に示すように、画像管理情報４２ｄは、画像の識別情報である画像ＩＤと、ジョブの識別情報であるジョブＩＤと、画像の送信条件とが対応付けられた情報である。
【００５５】
画像の送信条件には、ＳＭＢ（Ｓｅｒｖｅｒ  Ｍｅｓｓａｇｅ  Ｂｌｏｃｋ）、ＦＴＰ（Ｆｉｌｅ  Ｔｒａｎｓｆｅｒ  Ｐｒｏｔｏｃｏｌ）、Ｅ−ｍａｉｌ、Ｃｌｏｕｄ  Ｓｔｒａｇｅなどの送信方法の種類と、具体的な送信先の情報とが含まれている。
【００５６】
図４に示すように、オンライン決済サービス５０（図１参照。）によって発行される支払いコードを管理するための支払いコード管理情報４２ｅを記憶可能である。
【００５７】
図７は、支払いコード管理情報４２ｅの一例を示す図である。
【００５８】
図７に示すように、支払いコード管理情報４２ｅは、支払いコードと、ＭＦＰＩＤと、ジョブＩＤとが対応付けられた情報である。
【００５９】
図４に示す制御部４３は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４２に記憶されているプログラムを実行する。
【００６０】
制御部４３は、スキャン送信プログラム４２ａを実行することによって、スキャナー３３（図３参照。）によって原稿から読み取られた画像を記憶部４２に記憶する画像記憶手段４３ａと、スキャナー３３による原稿の読み取り結果に基づいて料金を計算する料金計算手段４３ｂと、オンライン決済サービス５０（図１参照。）による決済のための通信を実行する決済用通信手段４３ｃと、ＭＦＰ３０（図３参照。）によって通知された支払いコードを使用してオンライン決済サービス５０経由で料金が支払われた場合に、記憶部４２に記憶されていた画像を送信する画像送信手段４３ｄとを実現する。
【００６１】
図８は、オンライン決済サービス５０が記憶する情報の一例を示す図である。
【００６２】
図８に示すように、オンライン決済サービス５０は、利用者の銀行口座の情報を利用者の識別情報である利用者ＩＤ毎に示す利用者銀行口座情報５０ａと、ＭＦＰ３０の管理者の口座の情報を管理者ＩＤ毎に示す管理者口座情報５０ｂとを記憶している。
【００６３】
利用者銀行口座情報５０ａには、利用者の銀行口座を管理している銀行の名称や、その銀行口座の口座番号など、利用者の銀行口座に関する情報が含まれている。利用者は、例えば、利用者端末２０の操作部２１を介して決済用プログラム２５ａ経由で、オンライン決済サービス５０の利用者銀行口座情報５０ａに利用者の銀行口座の情報を登録することが可能である。
【００６４】
管理者は、例えば、任意のＰＣ（Ｐｅｒｓｏｎａｌ  Ｃｏｍｐｕｔｅｒ）を介してインターネット経由で、オンライン決済サービス５０の管理者口座情報５０ｂに管理者の口座の情報を登録することが可能である。なお、管理者の口座は、オンライン決済サービス５０によって管理されている口座であって、銀行口座ではない。
【００６５】
オンライン決済サービス５０は、支払いコードを管理するための支払いコード管理情報５０ｃを記憶可能である。
【００６６】
図９は、支払いコード管理情報５０ｃの一例を示す図である。
【００６７】
図９に示すように、支払いコード管理情報５０ｃは、支払いコードと、管理者ＩＤと、料金と、コンピューターの識別情報であるコンピューターＩＤとが対応付けられた情報である。
【００６８】
次に、スキャン送信システム１０の動作について説明する。
【００６９】
まず、スキャン送信のジョブの実行の指示が入力されたＭＦＰ３０が二次元コードを表示するまでのスキャン送信システム１０の動作について説明する。
【００７０】
図１０は、スキャン送信のジョブの実行の指示が入力されたＭＦＰ３０が二次元コードを表示するまでのスキャン送信システム１０の動作のシーケンス図である。
【００７１】
利用者は、スキャン送信のジョブの実行の指示を操作部３１を介して入力することができる。ＭＦＰ３０の送信手段３８ａは、スキャン送信のジョブの実行の指示が操作部３１を介して入力されると、図１０に示すように、「スキャナー３３によって原稿から読み取った画像をコンピューター４０の特定のＳＭＢフォルダーに送信する動作」（以下「ＳｃａｎＴｏＳＭＢ」と言う。）を実行する（Ｓ１０１）。ここで、送信手段３８ａは、今回のジョブのジョブＩＤと、今回のスキャン送信のジョブに対して操作部３１から指定されていた送信条件とをＳ１０１においてコンピューター４０に送信する。
【００７２】
図１１は、ＳｃａｎＴｏＳＭＢを実行する場合のＭＦＰ３０の動作のフローチャートである。
【００７３】
図１１に示すように、送信手段３８ａは、スキャナー３３によって原稿から画像を読み取る（Ｓ１３１）。
【００７４】
次いで、送信手段３８ａは、Ｓ１０１において読み取った画像を、読取画像ファイル形式情報３７ｂに示されるファイル形式で、コンピューター４０の特定のＳＭＢフォルダーに送信して（Ｓ１３２）、図１１に示す動作を終了する。
【００７５】
図１０に示すように、コンピューター４０の画像記憶手段４３ａは、Ｓ１０１においてＭＦＰ３０から送信されてきた画像をコンピューター４０の記憶部４２の特定のＳＭＢフォルダーに画像４２ｃとして記憶する（Ｓ１０２）。ここで、画像記憶手段４３ａは、Ｓ１０２において記憶した画像の画像ＩＤと、Ｓ１０１においてＭＦＰ３０から送信されてきた今回のジョブのジョブＩＤおよび送信条件とを対応付けて画像管理情報４２ｄに記憶する。
【００７６】
ＭＦＰ３０の支払いコード通知手段３８ｂは、Ｓ１０１の処理の後、今回のスキャン送信のジョブの属性を取得する（Ｓ１０３）。
【００７７】
ここで、スキャン送信のジョブの属性は、例えば、Ｓ１０１においてコンピューター４０の特定のＳＭＢフォルダーに送信した画像のファイル（以下「画像ファイル」と言う。）における画像のページ数を示すページ数情報と、画像ファイルにおける画像のデータがモノクロデータおよびカラーデータの何れであるかを示す色情報と、画像ファイルにおける記録媒体のサイズを示す記録媒体サイズ情報と、原稿の何ページ分を画像ファイルにおける１ページ分に集約するかを示す集約情報と、スキャナー３３による読み取りの倍率を示す倍率情報とを含んでいる。
【００７８】
支払いコード通知手段３８ｂは、スキャナー３３による原稿の実際の読み取り結果に基づいてページ数情報を決定する。
【００７９】
支払いコード通知手段３８ｂは、操作部３１を介して入力されたスキャン送信のジョブの実行の指示における設定に応じて色情報を決定する。ただし、支払いコード通知手段３８ｂは、スキャナー３３による原稿の実際の読み取り結果に基づいて色情報を決定しても良い。例えば、支払いコード通知手段３８ｂは、操作部３１を介して入力されたスキャン送信のジョブの実行の指示において、画像ファイルにおける画像のデータをモノクロデータおよびカラーデータの何れで記憶するかを自動で判定することが設定されていた場合、実際に原稿をスキャナー３３によって読み取った結果、読み取った原稿の色に応じて色情報を決定する。また、支払いコード通知手段３８ｂは、操作部３１を介して入力されたスキャン送信のジョブの実行の指示において、画像ファイルにおける画像のデータをカラーデータとして記憶することが設定されていたとしても、実際に原稿をスキャナー３３によって読み取った結果、原稿がモノクロである場合に、画像ファイルにおける画像のデータをモノクロデータとして記憶するように設定されていても良い。
【００８０】
支払いコード通知手段３８ｂは、操作部３１を介して入力されたスキャン送信のジョブの実行の指示における設定に応じて記録媒体サイズ情報を決定する。ただし、支払いコード通知手段３８ｂは、スキャナー３３による原稿の実際の読み取り結果に基づいて記録媒体サイズ情報を決定しても良い。例えば、支払いコード通知手段３８ｂは、操作部３１を介して入力されたスキャン送信のジョブの実行の指示において記録媒体のサイズとして「自動」が設定されていた場合、実際に原稿をスキャナー３３によって読み取った結果、読み取った原稿のサイズに応じて適切な記録媒体サイズ情報を自動で決定しても良い。
【００８１】
支払いコード通知手段３８ｂは、操作部３１を介して入力されたスキャン送信のジョブの実行の指示における設定に応じて集約情報および倍率情報を決定する。
【００８２】
支払いコード通知手段３８ｂは、Ｓ１０３の処理の後、Ｓ１０３で取得した属性に基づいた料金の計算の依頼をコンピューター４０に送信する（Ｓ１０４）。ここで、支払いコード通知手段３８ｂは、ＭＦＰ３０のＭＦＰＩＤと、今回のジョブのジョブＩＤとをＳ１０４における依頼とともにコンピューター４０に送信する。
【００８３】
コンピューター４０の料金計算手段４３ｂは、Ｓ１０４においてＭＦＰ３０から送信されてきた依頼を受信すると、この依頼とともにＭＦＰ３０から送信されてきた属性、すなわち、Ｓ１０３で取得された属性と、特定の計算基準とに基づいて、今回のスキャン送信のジョブの料金を計算する（Ｓ１０５）。
【００８４】
次いで、コンピューター４０の決済用通信手段４３ｃは、Ｓ１０５で計算された料金での支払いコードをオンライン決済サービス５０に要求する（Ｓ１０６）。ここで、決済用通信手段４３ｃは、Ｓ１０４における依頼とともにＭＦＰ３０から送信されてきたＭＦＰＩＤにＭＦＰ管理情報４２ｂにおいて対応付けられている管理者ＩＤと、コンピューター４０のコンピューターＩＤとをＳ１０６の要求に含める。
【００８５】
したがって、オンライン決済サービス５０は、Ｓ１０６の要求に応じて支払いコードを発行してコンピューター４０に返信する（Ｓ１０７）。なお、オンライン決済サービス５０は、発行した支払いコードを、Ｓ１０６における要求に含まれていた管理者ＩＤ、料金およびコンピューターＩＤを対応付けて支払いコード管理情報５０ｃに記憶する。
【００８６】
コンピューター４０の決済用通信手段４３ｃは、Ｓ１０７においてオンライン決済サービス５０から返信されてきた支払いコードを示すＱＲコード（登録商標）などの二次元コードを生成する（Ｓ１０８）。なお、決済用通信手段４３ｃは、Ｓ１０７においてオンライン決済サービス５０から返信されてきた支払いコードを、Ｓ１０４においてＭＦＰ３０から送信されていたＭＦＰＩＤおよびジョブＩＤに対応付けて支払いコード管理情報４２ｅに記憶する。
【００８７】
次いで、決済用通信手段４３ｃは、Ｓ１０８において生成した二次元コードをＭＦＰ３０に送信する（Ｓ１０９）。
【００８８】
したがって、ＭＦＰ３０の支払いコード通知手段３８ｂは、Ｓ１０９においてコンピューター４０から送信されてきた二次元コードを表示部３２に表示する（Ｓ１１０）。
【００８９】
次に、利用者端末２０が二次元コードを読み取ってからＭＦＰ３０がスキャン送信のジョブの実行を終了するまでのスキャン送信システム１０の動作について説明する。
【００９０】
図１２は、利用者端末２０が二次元コードを読み取ってからＭＦＰ３０がスキャン送信のジョブの実行を終了するまでのスキャン送信システム１０の動作のシーケンス図である。
【００９１】
利用者は、Ｓ１１０においてＭＦＰ３０の表示部３２に表示された二次元バーコードを利用者端末２０の撮影部２３によって読み取らせるように、利用者端末２０を操作することができる。利用者端末２０の決済指示手段２６ａは、表示部３２に表示された二次元バーコードを撮影部２３によって読み取らせるように利用者端末２０が操作されると、図１２に示すように、表示部３２に表示された二次元バーコードを撮影部２３によって読み取る（Ｓ１６１）。
【００９２】
次いで、決済指示手段２６ａは、Ｓ１６１において読み取った二次元バーコードを解釈して、この二次元バーコードによって示される支払いコードと、利用者ＩＤとをオンライン決済サービス５０に送信する（Ｓ１６２）。
【００９３】
したがって、オンライン決済サービス５０は、Ｓ１６２において利用者端末２０から送信されてきた支払いコードおよび利用者ＩＤに基づいて、支払いコードに支払いコード管理情報５０ｃにおいて対応付けられている料金と、利用者ＩＤに利用者銀行口座情報５０ａにおいて関連付けられている銀行口座の情報とを利用者端末２０に返信する（Ｓ１６３）。
【００９４】
利用者端末２０の決済指示手段２６ａは、料金と、銀行口座の情報とがオンライン決済サービス５０から送信されてくると、料金の支払いのための支払い画面７０（図１３参照。）を表示部２２に表示する（Ｓ１６４）。
【００９５】
図１３は、支払い画面７０の一例を示す図である。
【００９６】
図１３に示すように、支払い画面７０は、オンライン決済サービス５０から送信されてきた銀行口座の情報を示すテキスト７１と、オンライン決済サービス５０から送信されてきた料金を示すテキスト７２と、銀行口座のパスワード、すなわち、その銀行口座からの引き落としを銀行口座管理システム６０が許可するためのパスワードが入力されるためのテキストボックス７３とを含んでいる。
【００９７】
図１３においては、支払い画面７０に表示される銀行口座の情報として銀行の名称を示している。しかしながら、支払い画面７０には、銀行口座の情報として、銀行の名称以外の情報が、銀行の名称に加えて、または、銀行の名称に代えて、表示されても良い。なお、Ｓ１６３においては、銀行口座の情報のうち、支払い画面７０に表示される情報のみが返信されれば良い。
【００９８】
図１２に示すように、決済指示手段２６ａは、テキストボックス７３に銀行口座のパスワードが入力されると、入力されたパスワードをオンライン決済サービス５０に送信する（Ｓ１６５）。
【００９９】
したがって、オンライン決済サービス５０は、Ｓ１６５において利用者端末２０から送信されてきたパスワードが正しい場合にのみ、銀行口座管理システム６０が管理している銀行口座のうち、Ｓ１６２において利用者端末２０から送信されてきた利用者ＩＤに利用者銀行口座情報５０ａにおいて関連付けられている銀行口座から、Ｓ１６２において利用者端末２０から送信されてきた支払いコードに支払いコード管理情報５０ｃにおいて対応付けられている料金を引き落とす（Ｓ１６６）。
【０１００】
次いで、オンライン決済サービス５０は、Ｓ１６６において引き落とした料金を、Ｓ１６２において利用者端末２０から送信されてきた支払いコードに支払いコード管理情報５０ｃにおいて対応付けられている管理者ＩＤに管理者口座情報５０ｂにおいて関連付けられている口座に振り込む（Ｓ１６７）。
【０１０１】
次いで、オンライン決済サービス５０は、料金の支払いが完了した旨を示す支払い完了通知と、Ｓ１６２において利用者端末２０から送信されてきた支払いコードとを、この支払いコードに支払いコード管理情報５０ｃにおいて対応付けられているコンピューターＩＤのコンピューター４０に送信する（Ｓ１６８）。
【０１０２】
コンピューター４０の画像送信手段４３ｄは、Ｓ１６８においてオンライン決済サービス５０から支払い完了通知が送信されてくると、Ｓ１６８においてオンライン決済サービス５０から支払い完了通知とともに送信されてきた支払いコードに支払いコード管理情報４２ｅにおいて対応付けられているジョブＩＤに画像管理情報４２ｄにおいて対応付けられている画像ＩＤの画像４２ｃを、このジョブＩＤに画像管理情報４２ｄにおいて対応付けられている送信条件で送信する（Ｓ１６９）。
【０１０３】
コンピューター４０の決済用通信手段４３ｃは、Ｓ１６９の処理の後、Ｓ１６８においてオンライン決済サービス５０から支払い完了通知とともに送信されてきた支払いコードに支払いコード管理情報４２ｅにおいて対応付けられているＭＦＰＩＤのＭＦＰ３０に、支払いの完了と、スキャン送信のジョブの完了とを通知する（Ｓ１７０）。したがって、ＭＦＰ３０は、支払いの完了と、スキャン送信のジョブの完了とを例えば表示部３２に表示することができる。
【０１０４】
以上に説明したように、スキャン送信システム１０は、スキャナー３３による原稿の読み取りによって生成された画像を記憶部４２に記憶しておき（Ｓ１０２）、この読み取りの結果に基づいた正確な料金が支払われた（Ｓ１６５〜Ｓ１６７）後で、この画像を送信する（Ｓ１６９）ので、「スキャナー３３によって原稿から画像を読み取って、この画像を送信する」というスキャン送信のジョブの実行が料金の支払いの滞りによって途中で停止されることがなく、利便性の向上を実現することができる。
【０１０５】
スキャン送信システム１０は、料金の支払いにコインベンダーではなくオンライン決済サービス５０を利用するため、料金がＭＦＰ３０の利用者の銀行口座からＭＦＰ３０の管理者の口座に直接振り込まれるので、コインベンダーからの料金の取得作業が不要であり、人件費の低減と、料金の安全な受け取りとを実現することができる。
【０１０６】
スキャン送信システム１０は、料金の支払いにコインベンダーではなくオンライン決済サービス５０を利用するので、コインベンダーがあまり利用されていない国であっても、容易に導入されることが可能である。
【０１０７】
スキャン送信システム１０は、ＭＦＰ３０が支払いコードを表示部３２への表示によって通知する（Ｓ１１０）ので、利用者端末２０と、ＭＦＰ３０とが互いに通信できない場合であっても、ＭＦＰ３０の表示部３２に表示された支払いコードを使用して利用者端末２０によってオンライン決済サービス５０経由で料金を支払うことができる。
【０１０８】
スキャン送信システム１０は、支払いコードが二次元コードとしてコンパクトにＭＦＰ３０の表示部３２に表示されるので、利用者端末２０の撮影部２３によって撮影し易く、利便性を向上することができる。なお、スキャン送信システム１０は、文字列や一次元コードなど、二次元バーコードより利用者端末２０の撮影部２３によって撮影し難い方法で支払いコードが表示部３２に表示されても良い。
【０１０９】
スキャン送信システム１０は、表示部３２に表示された支払いコードを撮影部２３によって撮影することによって取得するので、ＭＦＰ３０の表示部３２に表示された支払いコードを利用者端末２０の利用者が利用者端末２０に手入力する必要がない。したがって、スキャン送信システム１０は、利便性を向上することができる。なお、スキャン送信システム１０は、二次元バーコードではなく、文字列など、利用者端末２０の利用者が理解可能な方法で支払いコードを表示部３２に表示する場合、ＭＦＰ３０の表示部３２に表示された支払いコードが利用者端末２０の利用者によって利用者端末２０に手入力される構成でも良い。
【０１１０】
スキャン送信システム１０は、本実施の形態において、ＭＦＰ３０の管理者の口座として、オンライン決済サービス５０によって管理されている口座を利用している。しかしながら、スキャン送信システム１０は、ＭＦＰ３０の管理者の口座として、オンライン決済サービス５０によって管理されている口座ではなく、銀行口座を利用する構成でも良い。
【０１１１】
スキャン送信システム１０は、本実施の形態において、ＭＦＰ３０の利用者の口座として、銀行口座を利用している。しかしながら、スキャン送信システム１０は、ＭＦＰ３０の利用者の口座として、銀行口座ではなく、オンライン決済サービス５０によって管理されている口座を利用する構成でも良い。
【０１１２】
スキャン送信システム１０は、コンピューター４０の上述した機能の少なくとも一部をＭＦＰ３０がスキャン送信プログラム３７ａの実行によって実現する構成でも良い。例えば、スキャン送信システム１０は、コンピューター４０の画像記憶手段４３ａ、料金計算手段４３ｂおよび画像送信手段４３ｄに相当する機能をＭＦＰ３０が実現する構成でも良い。スキャン送信システム１０は、コンピューター４０の上述した全ての機能をＭＦＰ３０が実現する構成である場合、コンピューター４０を備えなくても良い。
【０１１３】
本発明の画像形成装置は、本実施の形態においてＭＦＰであるが、スキャナー専用機など、ＭＦＰ以外の画像形成装置でも良い。
【符号の説明】
【０１１４】
１０  スキャン送信システム
２０  利用者端末
２３  撮影部（撮影デバイス）
３０  ＭＦＰ（画像形成装置）
３２  表示部（表示デバイス）
３３  スキャナー（読取デバイス）
３７ａ  スキャン送信プログラム
３８ｂ  支払いコード通知手段
４２  記憶部
４２ｃ  画像
４３ａ  画像記憶手段
４３ｂ  料金計算手段
４３ｄ  画像送信手段
５０  オンライン決済サービス
【図１】
2018046493.tif 000003
【図２】
2018046493.tif 000004
【図３】
2018046493.tif 000005
【図４】
2018046493.tif 000006
【図５】
2018046493.tif 000007
【図６】
2018046493.tif 000008
【図７】
2018046493.tif 000009
【図８】
2018046493.tif 000010
【図９】
2018046493.tif 000011
【図１０】
2018046493.tif 000012
【図１１】
2018046493.tif 000013
【図１２】
2018046493.tif 000014
【図１３】
2018046493.tif 000015